(57)【要約】【課題】空調能力の変更に応じて最適なケーシングサイズを得るとともに、室外ユニットを構成する部品の部品置き場が過大にならないようにする。【解決手段】空気調和装置の室外ユニット１は、空冷式の空気調和装置の室外ユニットであって、ケーシング１２と、天板２２とを備えている。ケーシング１２は、上部に開口を有する。天板２２は、空気吹出口２２ａを有し、ケーシング１２の開口を覆うように装着される。天板２２は、空気吹出口２２ａ側から見た際において、空気吹出口２２ａを含む第１天板４１と、第１天板４１の左右両側を挟むように配置された第２天板４２及び第３天板４３とに分割可能な構造を有している。【選択図】  図３
2004156799.tif 000002
【特許請求の範囲】
【請求項１】
空冷式の空気調和装置の室外ユニット（１、１０１、２０１）であって、
一部に開口を有するケーシング（１２、１１２、２１２）と、
空気吹出口（２２ａ、１２２ａ、２２２ａ）を有し、前記ケーシングの開口を覆うように装着される通風板（２２、１２２、２２２）とを備え、
前記通風板は、空気吹出口側から見た際において、前記空気吹出口を含む第１部分（４１、１４１、２４１）と、他の部分を含む少なくとも１つの第２部分（４２、４３、１４２、１４３、２４２）とに分割可能な構造を有している、
空気調和装置の室外ユニット（１、１０１、２０１）。
【請求項２】
前記通風板（２２、１２２、２２２）は、空気吹出口側から見た際において、略長方形状であり、
前記第１部分（４１、１４１、２４１）と前記第２部分（４２、４３、１４２、１４３、２４２）とは、空気吹出口側から見た際において、前記通風板の第１辺（２２ｄ、１２２ｄ、２２２ｄ）及び前記第１辺の対辺（２２ｅ、１２２ｅ、２２２ｅ）を横切るように分割されている、
請求項１に記載の空気調和装置の室外ユニット（１、１０１、２０１）。
【請求項３】
前記第２部分（４２、４３）は、空気吹出口側から見た際において、前記第１部分（４１）を両側から挟む１対の同一形状の部分である、請求項２に記載の空気調和装置の室外ユニット（１）。
【請求項４】
前記第１部分（４１、１４１、２４１）は、前記第２部分（４２、４３、１４２、１４３、２４２）との分割境界部分に、第１係合部（４１ａ、４１ｂ、１４１ａ、１４１ｂ、２４１ａ）を有しており、
前記第２部分は、前記第１部分と前記第２部分とが前記第１辺（２２ｄ、１２２ｄ、２２２ｄ）側及び前記第１辺の対辺（２２ｅ、１２２ｅ、２２２ｅ）側に相対移動不能となるように前記第１係合部に係合する第２係合部（４２ａ、４３ａ、１４２ａ、１４３ａ、２４２ａ）を有している、
請求項２又は３に記載の空気調和装置の室外ユニット（１、１０１、２０１）。
【請求項５】
前記第１係合部（４１ａ、４１ｂ、１４１ａ、１４１ｂ、２４１ａ）は、前記空気吹出口（２２ａ、１２２ａ、２２２ａ）に沿う形状を有している、請求項４に記載の空気調和装置の室外ユニット（１、１０１、２０１）。
【請求項６】
前記通風板（２２、１２２、２２２）は、樹脂成形品である、請求項２〜５のいずれかに記載の空気調和装置の室外ユニット（１、１０１、２０１）。
【請求項７】
前記通風板（２２、１２２、２２２）は、長辺寸法（Ｗ１）が９００ｍｍ以上、かつ、短辺寸法（Ｌ１）が７００ｍｍ以上である、請求項６に記載の空気調和装置の室外ユニット（１、１０１、２０１）。
【請求項８】
前記空気吹出口（２２ａ、１２２ａ、２２２ａ）は、直径（Ｄ）が６５０ｍｍ以上である、請求項６又は７に記載の空気調和装置の室外ユニット（１、１０１、２０１）。
【発明の詳細な説明】
【０００１】
【発明の属する技術分野】
本発明は、空気調和装置の室外ユニット、特に、空冷式の空気調和装置の室外ユニットに関する。
【０００２】
【従来の技術】
空冷式の空気調和装置の室外ユニットの１つとして、側面から空気を吸入して熱交換した後に天面から空気を吹き出すタイプのものがある。このような室外ユニットは、ビル等の空気調和によく使用されており、ビルの屋上等に設置されるとともに、複数の室内ユニットに連絡配管を介して接続されている。この室外ユニットは、略直方体形状のケーシングと、その内部に配置された圧縮機、熱交換器及び送風ファン等の機器とを備えている。ケーシングの側面には空気吸入口が設けられており、ケーシング上部の開口には、上方に向く空気吹出口を有する天板が設けられている。より具体的には、空気吸入口は、ケーシングの前面を除いた２つの側面及び後面に設けられている。熱交換器は、空気吸入口から吸入された空気と熱交換するための機器であり、各空気吸入口に対向するようにケーシング内に配置されている。送風ファンは、熱交換器において熱交換された空気を空気吹出口から吹き出すためのプロペラファンであり、ケーシングの上部において、空気吹出口に対応するように設けられている（例えば、特許文献１参照。）。
【０００３】
【特許文献１】
特開平８−１２８６７８号公報（第４−５頁、第３−６図）
【０００４】
【発明が解決しようとする課題】
上記従来の室外ユニットにおいては、種々の空調能力に対応できるように、能力の異なる同種の室外ユニットが製品化されている。このような能力の異なる同種の室外ユニットを製品化する際、空調能力に応じて熱交換器のサイズや圧縮機の台数等の変更を行うことになる。このため、各種機器のサイズや配置に応じて、平面視におけるケーシングのサイズ及び天板のサイズが変更する必要がある。
【０００５】
しかし、ケーシングのサイズ及び天板のサイズを変更して空調能力の異なる室外ユニットの製造を行う場合、多種の部品を製造して部品置き場に保管しなければならないため、過大な部品置き場が必要になってしまう。また、天板を空調能力のアップに応じて大型化すると、成形時の寸法精度が低下する傾向になるため、特に、空気吹出口が精度良く成形されにくくなり、送風ファンの送風性能に悪影響を及ぼすおそれもある。
【０００６】
これに対して、平面視におけるケーシングのサイズを天板のサイズの複数倍になるようにサイズアップするとともに、同一形状の天板をケーシングに複数個装着した分割構造にする場合がある。このような天板の分割構造では、平面視におけるケーシング及び天板のサイズが送風ファンのサイズによって決定されることになるため、熱交換器や圧縮機等の平面配置に無駄なスペースが生じてしまい、ケーシング及び天板のサイズが最適化されない場合がある。
【０００７】
本発明の課題は、空調能力の変更に応じて最適なケーシングサイズを得るとともに、室外ユニットを構成する部品の部品置き場が過大にならないようにすることにある。
【０００８】
【課題を解決するための手段】
請求項１に記載の空気調和装置の室外ユニットは、空冷式の空気調和装置の室外ユニットであって、ケーシングと、通風板とを備えている。ケーシングは、一部に開口を有する。通風板は、空気吹出口を有し、ケーシングの開口を覆うように装着される。通風板は、空気吹出口側から見た際において、空気吹出口を含む第１部分と、他の部分を含む少なくとも１つの第２部分とに分割可能な構造を有している。
【０００９】
この室外ユニットでは、通風板を空気吹出口を含む第１部分と、その他の第２部分とに分割しているため、第１部分を通風板を構成する共通の部品にできるとともに、通風板を構成する部品の小型化が可能になる。これにより、室外ユニットを構成する部品の置き場が過大にならないようにできる。
また、この室外ユニットでは、第２部分のサイズのみを変更して、通風板のサイズを変更することができるため、ケーシングのサイズを変更する場合であっても容易に対応可能である。これにより、空調能力の変更に応じて最適なケーシングサイズを得ることが可能になる。
【００１０】
以上のように、この室外ユニットでは、空調能力の変更に応じて最適なケーシングサイズを得るとともに、室外ユニットを構成する部品の部品置き場が過大にならないようにできる。
請求項２に記載の空気調和装置の室外ユニットは、請求項１において、通風板は、空気吹出口側から見た際において、略長方形状である。第１部分と第２部分とは、空気吹出口側から見た際において、通風板の第１辺及び第１辺の対辺を横切るように分割されている。
【００１１】
この室外ユニットでは、第１部分と第２部分とが通風板の１対の対辺（第１辺側）を横切るように分割されているため、第２部分のサイズを第１部分と第２部分との分割境界線に交差する方向（第２辺側）に伸縮させることによって、通風板のサイズを変更することが可能である。
請求項３に記載の空気調和装置の室外ユニットは、請求項２において、第２部分は、空気吹出口側から見た際において、第１部分を両側から挟む１対の同一形状の部分である。
【００１２】
この室外ユニットでは、第２部分が同一形状であるため、第２部分の共通化を図ることができる。また、第２部分は、第１部分を両側から挟むように配置されているため、空気吹出口を通風板の中央に配置したまま、通風板のサイズを変更できる。
請求項４に記載の空気調和装置の室外ユニットは、請求項２又は３において、第１部分は、第２部分との分割境界部分に、第１係合部を有している。第２部分は、第１部分と第２部分とが第１辺側に相対移動不能となるように第１係合部に係合する第２係合部を有している。
【００１３】
この室外ユニットでは、第１部分と第２部分とを組み付けた後の位置ずれ等の不具合が生じにくい。
請求項５に記載の空気調和装置の室外ユニットは、請求項４において、第１係合部は、空気吹出口に沿う形状を有している。
この室外ユニットでは、第１係合部を空気吹出口に沿う形状にすることによって、空気吹出口の縁部から第１部分の外側部分との距離が均等化されるようにしているため、第１部分の成形時において、材料の引け等の防止に寄与できる。
【００１４】
請求項６に記載の空気調和装置の室外ユニットは、請求項２〜５のいずれかにおいて、通風板は、樹脂成形品である。
この室外ユニットでは、通風板を第１部分と第２部分との分割構造にしているため、通風板が樹脂成形品である場合においても、金型の共通化及び小型化が可能になり、金型のコストダウンが可能である。
【００１５】
請求項７に記載の空気調和装置の室外ユニットは、請求項６において、通風板は、長辺寸法が９００ｍｍ以上、かつ、短辺寸法が７００ｍｍ以上である。
この室外ユニットでは、長辺寸法が９００ｍｍ以上、かつ、短辺寸法が７００ｍｍ以上の大型の樹脂製の通風板であるため、分割による金型のコストダウンの効果が顕著になる。
【００１６】
請求項８に記載の空気調和装置の室外ユニットは、請求項６又は７において、空気吹出口は、直径が６５０ｍｍ以上である。
この室外ユニットでは、通風板が直径が６５０ｍｍ以上の空気吹出口を有しているため、通風板を空気吹出口を含む第１部分に分割して部品を小型化することで、他の部分に比べて高い寸法精度が要求される空気吹出口の成形が容易になる。
【００１７】
【発明の実施の形態】
以下、本発明の実施形態を図面に基づいて説明する。
［第１実施形態］
（１）室外ユニットの構成
図１に本発明の第１実施形態にかかる空気調和装置の室外ユニット１を示す。室外ユニット１は、マルチタイプの空気調和装置を構成しており、ビルの屋上等に設置されるとともに、複数の室外ユニットに連絡配管を介して接続されている。
【００１８】
室外ユニット１は、本実施形態において、側面から空気を吸入して熱交換した後に天面から空気を吹き出すタイプであり、ケーシング１２と、ケーシング１２の内部に収納された室外側冷媒回路１３と、ケーシング１２の上部に設けられた送風ファン１４とを備えている。
ケーシング１２は、上部に開口を有する略直方体形状の箱体であり、主に、４つの角部にそれぞれ配置された支柱２１ａ〜２１ｄと、前板２３と、後板２４と、１対の側板２５と、底板２６とから構成されている。そして、天板２２がケーシング１２の開口を上方から覆うように装着されている。
【００１９】
支柱２１ａ〜２１ｄは、ケーシング１２の各角部の上端から下端まで延びる柱状の部材であり、天板２２、前板２３、後板２４、側板２５及び底板２６を固定・支持している。
天板２２は、中央に設けられた開口からなる空気吹出口２２ａを有しており、空気吹出口２２ａを上部から覆うようにファングリル５１が設けられている。そして、ケーシング１２内に吸入された空気は、空気吹出口２２ａから上方に向かって吹き出されるようになっている。尚、天板２２の詳細な構造については、後述する。
【００２０】
前板２３は、本実施形態において、天板２２の下側に配置される上部前板２３ａと、上部前板２３ａの下側に配置される下部前板２３ｃとから構成されている。このように、前板２３は、上下２分割の構造になっている。
後板２４は、ケーシング１２内に空気を吸入するための空気吸入口２４ａを有している。本実施形態において、空気吸入口２４ａは、詳細は図示しないが、ほぼ全面に設けられた開口からなる。１対の側板２５は、ケーシング１２内に空気を吸入するための空気吸入口２５ａを有している。本実施形態において、空気吸入口２５ａは、前板２３近傍を除く面に設けられた開口からなる。これらの空気吸入口２４ａ、２５ａからケーシング１２内に、空気が吸入されるようになっている。
【００２１】
底板２６は、室外側冷媒回路１３を構成する機器及び配管類を支持・固定している。また、底板２６は、据付面との間にスペースができるように、４つの支柱２１ａ〜２１ｄに支持されている。
室外側冷媒回路１３は、圧縮機１３ａ、熱交換器１３ｂ等及びこれらの機器を接続する配管類から構成されている。圧縮機１３ａや熱交換器１３ｂ等の主要な機器は、底板２６に固定されている。すなわち、室外側冷媒回路１３を構成する機器及び配管類は、主として、ケーシング１２の下部に配置されている。熱交換器１３ｂは、略Ｕ字形状であり、３つの空気吸入口２４ａ、２５ａに対向するように配置されている。熱交換器１３ｂは、空気吸入口２４ａ、２５ａから吸入された空気と冷媒とを熱交換させることが可能である。
【００２２】
送風ファン１４は、プロペラファンであり、ケーシング１２の上部において、空気吹出口２２ａに対応するように配置されている。送風ファン１４は、羽根車１４ａと、羽根車１４ａを回転駆動するファンモータ１４ｂとを有している。ファンモータ１４ｂは、図示しない支持フレームを介して、ケーシング１２に固定されている。これにより、送風ファン１４は、空気吸入口２４ａ、２５ａを通じて、室外空気をケーシング１２の側面からケーシング１２の内部に吸入して、熱交換器１３ｂを通過させた後、ケーシング１２の上部に導いて空気吹出口２２ａから吹き出すことが可能である。
【００２３】
（２）天板の詳細構造
天板２２の詳細構造について、図２及び図３を用いて説明する。ここで、図２はファングリル５１及び送風ファン１４を除いた室外ユニット１を天板側から見た図であり、図３は天板２２の斜視図である。また、図中の点Ｏは、空気吹出口２２ａの中心点である。
【００２４】
天板２２は、本実施形態において、空気吹出口２２ａから見た際において、短辺２２ｂ、２２ｃの長さが長さＬ１及び長辺２２ｄ、２２ｅの長さが長さＷ１を有する略長方形状であり、樹脂成形されている。また、空気吹出口２２ａは、内径Ｄを有する円形の開口である。さらに、天板２２の４つの角部には、図３に示すように、支柱２１ａ〜２１ｄの上端部に支持された支持部２２ｆ〜２２ｉが設けられている。具体的には、支持部２２ｆ〜２２ｉは、支柱２１ａ〜２１ｄの上端部に上方から嵌合可能な部分である。そして、熱交換器１３ｂは、前板２３側を除く後板２４及び１対の側板２５の３つの面に対向するように設けられている。
【００２５】
さらに詳細には、天板２２は、空気吹出口２２ａを含む第１天板４１と、他の部分を含む第２天板４２及び第３天板４３とからなる分割構造を有している。
第１天板４１と第２天板４２とは、図２における空気吹出口２２ａの左側の位置において、１対の短辺２２ｂ、２２ｃを横切るように分割されている。また、第１天板４１と第３天板４３とは、図２における空気吹出口２２ａの右側の位置において、１対の短辺２２ｂ、２２ｃを横切るように分割されている。すなわち、第２天板４２と第３天板４３とは、図２において、第１天板４１を左右両側から挟むように配置されている。
【００２６】
第１天板４１は、第２天板４２及び第３天板４３との分割境界部分に、空気吹出口２２ａの形状に沿うように第２天板４２側及び第２天板４３側に突出した第１係合部４１ａ、４１ｂを有している。第２天板４２は、第１天板４１と第２天板４２とが短辺２２ｂ、２２ｃ側に相対移動不能となるように第１係合部４１ａに係合する第２係合部４２ａを有している。第３天板４３は、第２天板と同様に、第１天板４１と第３天板４３とが短辺２２ｂ、２２ｃ側に相対移動不能となるように第１係合部４１ｂに係合する第３係合部４３ａを有している。
【００２７】
また、第２天板４２と第３天板４３とは、同一形状である。すなわち、天板２２は、空気吹出口２２ａを含む第１天板４１と、その長手方向両側に配置された互いが同一形状の第２及び第３天板４２、４３との２種類の部材から構成されている。そして、第１天板４１は、第２天板４２の幅Ｗ２と第３天板４３の幅Ｗ３とが同じ長さになっているため、天板２２の長手方向の中央に配置されている。
【００２８】
（４）室外ユニットのケーシングのサイズ変更
次に、室外ユニット１のケーシング１２のサイズ変更について、図２を用いて説明する。
室外ユニット１の空調能力の変更をする際、圧縮機１３ａの台数や熱交換器１３ｂのサイズを変更するため、平面視におけるケーシング１２のサイズを変更する必要がある。例えば、空調能力をアップさせる方向に変更する際、ケーシング１２のサイズを大きくしなければならない。
【００２９】
本実施形態の室外ユニット１では、ケーシング１２の長手方向のサイズ、すなわち、長辺の長さＷ１を長さＷ４に変更することによって、ケーシング１２のサイズを変更する。このとき、熱交換器１３ｂのサイズは、ケーシング１２の長辺の長さＷ１を長さＷ４に変更した分だけ長手方向のサイズを大きくすることが可能になる。
【００３０】
また、天板２２についても、ケーシング１２と同様に、長辺の長さＷ１を長さＷ４に変更することになるが、このとき、第１天板４１のサイズを変更することなく、第２及び第３天板４２、４３のサイズのみ変更することで天板２２のサイズ変更を行う。具体的には、第２天板４２の幅Ｗ２及び第３天板４３の幅Ｗ３をそれぞれ同一の長さを有する幅Ｗ５及び幅Ｗ６に変更することにより行う。このように、室外ユニット１の天板２２では、第１天板４１のサイズを変更することなく、第２及び第３天板４２、４３のみを変更することによってケーシング１２のサイズ変更に対応することができる。
【００３１】
（５）室外ユニットの特徴
本実施形態の室外ユニット１には、以下のような特徴がある。
▲１▼室外ユニット１では、天板２２を空気吹出口２２ａを含む第１天板４１と、その他の第２及び第３天板４２、４３とに分割しているため、第１天板４１を天板２２を構成する共通の部品にできるとともに、天板２２を構成する部品の小型化が可能になる。これにより、室外ユニット１を構成する部品の置き場が過大にならないようにできる。
【００３２】
また、室外ユニット１のように、天板２２が樹脂成形品である場合には、金型の共通化及び小型化が可能になり、金型のコストダウンが可能である。特に、天板２２の長辺の長さＷ１が９００ｍｍ以上、かつ、短辺の長さＬ１が７００ｍｍ以上の大型のものでは、分割による金型のコストダウンの効果が顕著になる。
さらに、天板２２が直径Ｄが６５０ｍｍ以上の空気吹出口２２ａを有している場合には、天板２２を空気吹出口２２ａを含む第１天板４１に分割して部品を小型化することで、他の部分に比べて高い寸法精度が要求される空気吹出口２２ａの成形が容易になる。
【００３３】
▲２▼室外ユニット１では、第２及び第３天板４２、４３のサイズのみを変更して、天板２２のサイズを変更することができるため、空調能力の変更に伴ってケーシング１２のサイズを変更する場合であっても容易に対応可能である。具体的には、室外ユニット１では、第１天板４１と第２及び第３天板４２、４３とが天板２２の長辺２２ｄ、２２ｅを横切るように分割されているため、第２及び第３天板４２、４３のサイズを短辺２２ｂ、２２ｃ側に伸縮させることによって、天板２２のサイズを変更することが可能である。
【００３４】
また、室外ユニット１では、第２及び第３天板４２、４３が同一形状であるため、第２天板４２と第３天板４３との共通化を図ることができる。
さらに、第２及び第３天板４２、４３は、第１天板４１を長手方向の両側から挟むように配置されているため、空気吹出口２２ａを天板２２の中央に配置したまま、天板２２のサイズを変更できる。
【００３５】
このように、本実施形態の室外ユニット１では、空調能力の変更に応じて最適なケーシングサイズを得ることが可能になる。
▲３▼室外ユニット１では、第１天板４１は、第２及び第３天板４２、４３との分割境界部分に、第１係合部４１ａ、４１ｂを有している。第２及び第３天板４２、４３は、第１天板４１と第２及び第３天板４２、４３とが長辺２２ｄ、２２ｅ側に相対移動不能となるように第１係合部４１ａ、４１ｂにそれぞれ係合する第２及び第３係合部４２ａ、４３ａを有している。これにより、室外ユニット１では、第１天板４１と第２及び第３天板４２、４３とを組み付けた後の位置ずれ等の不具合が生じにくい。
【００３６】
▲４▼室外ユニット１では、第１係合部４１ａ、４１ｂを空気吹出口２２ａに沿う形状にすることによって、空気吹出口２２ａの縁部から第１天板４１の外側部分との距離が均等化されるため、第１天板４１の成形時において、材料の引け等の防止に寄与できる。
［第２実施形態］
第１実施形態においては、第２及び第３天板４２、４３を同一形状としているが、同一形状には限定されない。例えば、図４に示すように、第１実施形態の室外ユニット１と同一形状のケーシング１１２を有する室外ユニット１０１において、ケーシング１１２のサイズを変更する際に、第２天板１４２の幅Ｗ２を変更せずに、第３天板１４３の幅Ｗ３のみを幅Ｗ７変更して、天板１２２の長辺の長さＷ１を長さＷ４に変更してもよい。
【００３７】
尚、本実施形態において、天板１２２には、第１実施形態の天板２２の長辺２２ｄ、２２ｅ及び短辺２２ｂ、２２ｃと同様の長辺１２２ｄ、１２２ｅ及び短辺１２２ｂ、１２２ｃが形成されている。第１天板１４１には、第１実施形態の第１天板４１の第１係合部４１ａ、４１ｂと同様の第１係合部１４１ａ、１４１ｂが形成されている。第２天板１４２及び第３天板１４３には、第１実施形態の第２天板４２及び第３天板４３の第２係合部４２ａ及び第３係合部４３ａと同様の第２係合部１４２ａ及び第３係合部１４３ａがそれぞれ形成されている。
【００３８】
この場合、空気吹出口１２２ａが天板１２２の中心Ｏから左側にずれた位置に配置される点と、第２天板１４２と第３天板１４３との部品の共通化を図ることができない点とが第１実施形態と異なるが、その他の点については、第１実施形態と同様な効果が得られる。
［第３実施形態］
第１及び第２実施形態においては、第１天板の両側に第２及び第３天板を配置したが、第１天板が第２又は第３天板のいずれかを含むような形状であってもよい。例えば、図５に示すように、第１実施形態の室外ユニット１と同じサイズのケーシング２１２を有する室外ユニット２０１において、天板２２２が短辺２２２ｂ及び空気吹出口２２２ａを含む第１天板２４１と、短辺２２２ｃを含む第２天板２４２とに分割された構造にしてもよい。この天板２２２では、ケーシング２１２のサイズを変更する際に、第２天板２４２の幅Ｗ３のみを幅Ｗ７変更して、天板２２２の長辺の長さＷ１を長さＷ４にすることが可能である。
【００３９】
尚、本実施形態において、天板２２２には、第１実施形態の天板２２の長辺２２ｄ、２２ｅ及び短辺２２ｂ、２２ｃと同様の長辺２２２ｄ、２２２ｅ及び短辺２２２ｂ、２２２ｃが形成されている。第１天板２４１には、第１実施形態の第１天板４１の第１係合部４１ｂと同様の第１係合部１４１ａが形成されている。第２天板２４２には、第１実施形態の第３天板４３の第３係合部４３ａと同様の第２係合部１４２ａが形成されている。
【００４０】
この場合、空気吹出口２２２ａが天板２２２の中心Ｏから左側にずれた位置に配置される点が異なるが、その他の点については、第１実施形態と同様な効果が得られる。
［他の実施形態］
以上、本発明の実施形態について図面に基づいて説明したが、具体的な構成は、これらの実施形態に限られるものではなく、発明の要旨を逸脱しない範囲で変更可能である。
【００４１】
（１）前記実施形態では、側面から空気を吸入して天面に吹き出すタイプの室外ユニットに本発明を適用したが、横吹出タイプの室外ユニットに適用してもよい。
（２）前記実施形態では、空気吹出口を１つだけ有するタイプの室外ユニットに本発明を適用したが、複数の空気吹出口を有するタイプの室外ユニットに適用してもよい。
【００４２】
【発明の効果】
以上の説明に述べたように、本発明によれば、以下の効果が得られる。
請求項１にかかる発明では、通風板を空気吹出口を含む第１部分と、その他の第２部分とに分割しているため、第１部分を通風板を構成する共通の部品にできるとともに、通風板を構成する部品の小型化が可能になる。また、この室外ユニットでは、第２部分のサイズのみを変更して、通風板のサイズを変更することができる。このように、この室外ユニットでは、空調能力の変更に応じて最適なケーシングサイズを得るとともに、室外ユニットを構成する部品の部品置き場が過大にならないようにできる。
【００４３】
請求項２にかかる発明では、第１部分と第２部分とが通風板の１対の対辺（第１辺側）を横切るように分割されているため、第２部分のサイズを第１部分と第２部分との分割境界線に交差する方向（第２辺側）に伸縮させることによって、通風板のサイズを変更することが可能である。
請求項３にかかる発明では、第２部分が同一形状であるため、第２部分の共通化を図ることができる。また、第２部分は、第１部分を両側から挟むように配置されているため、空気吹出口を通風板の中央に配置したまま、通風板のサイズを変更できる。
【００４４】
請求項４にかかる発明では、第１部分と第２部分とを組み付けた後の位置ずれ等の不具合が生じにくい。
請求項５にかかる発明では、第１係合部を前記空気吹出口に沿う形状にすることによって、空気吹出口の縁部から第１部分の外側部分との距離が均等化されるようにしているため、第１部分の成形時において、材料の引け等の防止に寄与できる。
【００４５】
請求項６にかかる発明では、通風板を第１部分と第２部分との分割構造にしているため、通風板が樹脂成形品である場合においても、金型の共通化及び小型化が可能になり、金型のコストダウンが可能である。
請求項７にかかる発明では、長辺寸法が９００ｍｍ以上、かつ、短辺寸法が７００ｍｍ以上の大型の樹脂製の通風板であるため、分割による金型のコストダウンの効果が顕著になる。
【００４６】
請求項８にかかる発明では、通風板が直径が６５０ｍｍ以上の空気吹出口を有しているため、通風板を空気吹出口を含む第１部分に分割して部品を小型化することで、他の部分に比べて高い寸法精度が要求される空気吹出口の成形が容易になる。
【図面の簡単な説明】
【図１】本発明の第１実施形態にかかる空気調和装置の室外ユニット。
【図２】第１実施形態の室外ユニットを天板側から見た図であって、ファングリル及び送風ファンを除いて示した図。
【図３】第１実施形態の天板の斜視図。
【図４】第２実施形態の室外ユニットを天板側から見た図であって、ファングリル及び送風ファンを除いて示した図。
【図５】第３実施形態の室外ユニットを天板側から見た図であって、ファングリル及び送風ファンを除いて示した図。
【符号の説明】
１、１０１、２０１  室外ユニット
１２、１１２、２１２  ケーシング
２２、１２２、２２２  天板（通風板）
２２ａ、１２２ａ、２２２ａ  空気吹出口
４１、１４１、２４１  第１天板（第１部分）
４２、１４２、２４２  第２天板（第２部分）
４３、１４３  第３天板（第２部分）
【図１】
2004156799.tif 000003
【図２】
2004156799.tif 000004
【図３】
2004156799.tif 000005
【図４】
2004156799.tif 000006
【図５】
2004156799.tif 000007